(57)【要約】      （修正有）【課題】一枚のシートを使用したものであり、第二種郵便物の往復葉書の規定を問題なく満たすと共に、その製造が極めて容易に行える往復葉書とその製造方法を提供する。【解決手段】往復葉書Ｊ１において、往信葉書Ｖと返信葉書Ｗを往信葉書Ｖが上になるように折り合わせた状態で上から第三葉片、第二葉片、第五葉片及び第六葉片の順に重なり往信葉書Ｖを形成すると共に往信葉書Ｖの下に第四葉片及び第一葉片が順に重なり返信葉書Ｗを形成した往復葉書Ｊ１であり、往信葉書Ｖの本体を形成する第二葉片と第五葉片及び返信葉書Ｗの本体を形成する第一葉片と第四葉片が剥離不能に貼り合わせられると共に往信葉書Ｖ本体の両面に疑似接着媒体を介して第三葉片と第六葉片が剥離可能に貼り合わされ、さらに往信葉書Ｖ本体の両面に貼り合わされた第三葉片と第六葉片が往信葉書Ｖの下縁辺で折り線を介して連接している。【選択図】図１
2018192778.tif 000002
【特許請求の範囲】
【請求項１】
縦方向の折り線を介して横方向に連接された第一葉片、第二葉片及び第三葉片の３葉片と、縦方向の折り線を介して横方向に連接された第四葉片、第五葉片及び第六葉片の３葉片が横方向の折り線を介して第一葉片と第四葉片、第二葉片と第五葉片及び第三葉片と第六葉片がそれぞれ上下に連接された６葉片からなる単位往復葉書用紙を折り畳み、任意の対向面間を剥離可能或いは剥離不能に積層した往復葉書において、往信葉書と返信葉書を往信葉書が上になるように折り合わせた状態で上から第三葉片、第二葉片、第五葉片及び第六葉片の順に重なり往信葉書を形成すると共に前記往信葉書の下に第四葉片及び第一葉片が順に重なり返信葉書を形成した往復葉書であり、往信葉書の本体を形成する第二葉片と第五葉片及び返信葉書の本体を形成する第一葉片と第四葉片が剥離不能に貼り合わせられると共に往信葉書本体の両面に疑似接着媒体を介して第三葉片と第六葉片が剥離可能に貼り合わされ、さらに前記往信葉書本体の両面に貼り合わされた前記第三葉片と第六葉片が往信葉書の下縁辺で折り線を介して連接していることを特徴とした往復葉書。
【請求項２】
請求項１に記載の往信葉書本体の両面に貼付された第三葉片と第六葉片の下縁辺の折り線による連接を切り離したことを特徴とした往復葉書。
【請求項３】
縦方向の折り線を介して横方向に連接された第一葉片、第二葉片及び第三葉片の３葉片と縦方向の折り線を介して横方向に連接された第四葉片、第五葉片及び第六葉片の３葉片が横方向の折り線を介して第一葉片と第四葉片、第二葉片と第五葉片及び第三葉片と第六葉片がそれぞれ上下に連接された６葉片からなる単位往復葉書用紙が、天地の横方向の切取線を介して縦方向に連続的に印刷されると共に両外側にマージナル孔を設けたマージナル部分が縦方向の切取線を介して連接された長尺シートを繰り出すシートの繰り出し工程と、繰り出された長尺シートに印刷された単位往復葉書用紙の疑似接着予定面に疑似接着媒体及び完全接着予定面に完全接着媒体を形成する疑似接着媒体及び完全接着媒体の形成工程と、疑似接着媒体及び完全接着媒体が形成された長尺シートの両外側のマージナル部分を切除すると共に縦方向の折り線に折り手段を形成する切除及び折り手段の形成工程と、マージナル部分が切除されると共に折り手段が形成された長尺シートの第三葉片と第六葉片を疑似接着媒体が対向するように縦方向の折り線から第二葉片と第五葉片側に連続的に折り畳む第一の折り畳み工程と、折り畳まれた長尺シートを単位往復葉書用紙毎に天地の切取線で切り離す切り出し工程と、切り出された単位往復用紙葉書の横方向の折り線を介して上下に連接された葉片の完全接着媒体同士が対向するように前記横方向の折り線から折り畳み往信葉書と返信葉書が見開き状に平面展開した状態にする第二の折り畳み工程と、
折り畳まれた単位往復葉書用紙に加圧或いは加熱・加圧処理を施して対向する疑似接着媒体同士及び対向する完全接着媒体同士を接着する接着する接着工程と、見開き状に平面展開している往信葉書と返信葉書を連接する折り線から二つ折りに折り畳む第三の折り畳み工程とからなることを特徴とした往復葉書の製造方法。
【請求項４】
請求項３に記載の往復葉書の製造方法において、切除工程が疑似接着媒体及び完全接着媒体の形成工程の上流側及び／又は下流側に配置されたことを特徴とした往復葉書の製造方法。
【請求項５】
請求項３又は４に記載の往復葉書の製造方法において、折り手段の形成工程が疑似接着媒体及び完全接着媒体の形成工程の上流側及び／又は下流側に配置されたことを特徴とした往復葉書の製造方法。
【請求項６】
縦方向の折り線を介して横方向に連接された第一葉片、第二葉片及び第三葉片の３葉片と縦方向の折り線を介して横方向に連接された第四葉片、第五葉片及び第六葉片の３葉片が横方向の折り線を介して第一葉片と第四葉片、第二葉片と第五葉片及び第三葉片と第六葉片がそれぞれ上下に連接された６葉片からなる単位往復葉書用紙が、縦方向の余白及び横方向の余白に囲まれた状態で印刷された枚葉シートを繰り出すシートの繰り出し工程と、
繰り出された枚葉シートに印刷された単位往復葉書用紙の疑似接着予定面に疑似接着媒体及び完全接着予定面に完全接着媒体を形成する疑似接着及び完全接着媒体の形成工程と、
疑似接着媒体及び完全接着媒体が形成された枚葉シートの縦方向の余白を切除すると共に縦方向の折り線に折り手段を形成する縦方向の余白の切除及び折り手段の形成工程と、
縦方向の余白を切除すると共に折り線に折り手段を形成した枚葉シートに印刷された単位往復葉書用紙の第三葉片と第六葉片を疑似接着媒体が対向するように縦方向の折り線から第二葉片と第五葉片側に連続的に折り畳む第一の折り畳み工程と、折り畳まれた枚葉シートの横方向の余白を切除して単位往復葉書用紙単体に切り出す切り出し工程と、切り出された単位往復葉書用紙の横方向の折り線を介して上下に連接された葉片の完全接着媒体同士が対向するように前記横方向の折り線から折り畳み往信葉書と返信葉書が見開き状に平面展開した状態にする第二の折り畳み工程と、折り畳まれた単位往復葉書用紙に加圧或いは加熱・加圧処理を施して対向する疑似接着媒体同士及び完全接着媒体同士を接着する接着工程と、見開き状に平面展開している往信葉書と返信葉書を連接する折り線から二つ折りに折り畳む第三の折り畳み工程とからなることを特徴とした往復葉書の製造方法。
【請求項７】
請求項６に記載の往復葉書の製造方法において、切除工程が疑似接着媒体及び完全接着媒体の形成工程の上流側及び／又は下流側に配置されたことを特徴とした往復葉書の製造方法。
【請求項８】
請求項６又は７に記載の往復葉書の製造方法において、折り手段の形成工程が疑似接着媒体及び完全接着媒体の形成工程の上流側及び／又は下流側に配置されたことを特徴とした往復葉書の製造方法。
【請求項９】
縦方向の折り線を介して横方向に連接された第一葉片、第二葉片及び第三葉片の３葉片と縦方向の折り線を介して横方向に連接された第四葉片、第五葉片及び第六葉片の３葉片が横方向の折り線を介して第一葉片と第四葉片、第二葉片と第五葉片及び第三葉片と第六葉片がそれぞれ上下に連接された６葉片からなる単位往復葉書用紙が印刷された長尺シート或いは枚葉シートの疑似接着予定面に疑似接着媒体及び完全接着予定面に完全接着媒体を形成する疑似接着媒体及び完全接着媒体の形成工程と、疑似接着媒体及び完全接着媒体が形成された長尺シート或いは枚葉シートに印刷された単位往復葉書用紙を切り出す切り出し工程と、切り出された単位往復葉書用紙の第三葉片と第六葉片を疑似接着媒体が対向するように縦方向の折り線から第二葉片と第五葉片側に折り畳み、次に単位往復葉書用紙の横方向の折り線を介して上下に連接された葉片の完全接着媒体同士が対向するように前記横方向の折り線から折り畳み往信葉書と返信葉書が見開き状に平面展開した状態とした後にさらに前記往信葉書と返信葉書をその連接する折り線から二つ折りに折り畳み最終形態とする折り畳み工程と、折り畳まれた単位往復葉書用紙に加圧或いは加熱・加圧処理を施して対向する疑似接着媒体同士を剥離可能に接着し完全接着媒体同士を剥離不能に接着する接着工程とからなることを特徴とした往復葉書の製造方法。
【請求項１０】
所定面に疑似接着媒体及び完全接着媒体が形成された長尺シート或いは枚葉シートの表裏面に、縦方向の折り線を介して横方向に連接された第一葉片、第二葉片及び第三葉片の３葉片と縦方向の折り線を介して横方向に連接された第四葉片、第五葉片及び第六葉片の３葉片が横方向の折り線を介して第一葉片と第四葉片、第二葉片と第五葉片及び第三葉片と第六葉片がそれぞれ上下に連接された６葉片からなる単位往復葉書用紙を印刷する印刷工程と、印刷が完了した長尺状或いは枚葉状のシートの単位往復葉書を切り出す切り出し工程と、切り出された単位往復葉書用紙の第三葉片と第六葉片を疑似接着媒体が対向するように縦方向の折り線から第二葉片と第五葉片側に折り畳み、次に単位往復葉書用紙の横方向の折り線を介して上下に連接された葉片の完全接着媒体同士が対向するように前記横方向の折り線から折り畳み往信葉書と返信葉書が見開き状に平面展開した状態とした後にさらに前記往信葉書と返信葉書をその連接する折り線から二つ折りに折り畳み最終形態とする折り畳み工程と、折り畳まれた単位往復葉書用紙に加圧或いは加熱・加圧処理を施して対向する疑似接着媒体同士を剥離可能に接着し完全接着媒体同士を剥離不能に接着する接着工程とからなることを特徴とした往復葉書の製造方法。
【請求項１１】
請求項８又は９に記載の往復葉書の製造方法における折り畳み工程では、横方向の折り線から往信葉書と返信葉書が見開き状に平面展開した状態にまで折り畳んでおいて、接着工程の下流に前記見開き状に平面展開している往信葉書と返信葉書を両者を連接する折り線から二つ折りに折り畳み最終形態とする第二の折り畳み工程を配置したことを特徴とした往復葉書の製造方法。
【請求項１２】
往信葉書本体の両面に貼付された第一葉片と第四葉片の下縁辺の折り線による連接を切り離す切除工程が増設されたことを特徴とした請求項３乃至１１の何れかに記載の往復葉書の製造方法。
【発明の詳細な説明】
【技術分野】
【０００１】  本発明は、複数の葉片が折り畳まれ任意の対向面間を剥離可能或いは剥離不能に貼り合わせた往復葉書及びその製造方法に関する。
詳しくは、本発明は、最近盛んに使用されている、見掛けは通常の往復葉書であるにもかかわらず、複数の葉片が折り畳まれると共に任意の対向面間を剥離可能或いは剥離不能に貼り合わせることにより、多くの情報を隠蔽状態で伝達することができる往復葉書及びその製造方法に関する。
【背景技術】
【０００２】  従来、前記複数の葉片が折り畳まれ任意の対向面間を剥離可能或いは剥離不能に貼り合わせた往復葉書として、例えば特開２００３−８９２８８号公報に記載の往復葉書がある。前記特許文献に記載のものでは、２種類のシートを用いて両シートの返信葉書本体に当たる葉片を貼り合わせ、全体で５葉片からなる往復葉書が開示されている。
【先行技術文献】
【特許文献】
【０００３】
【特許文献１】特開２００３−８９２８８号公報
【発明の概要】
【発明が解決しようとする課題】
【０００４】  前記特許文献の往復葉書は２枚のシートを貼り合わせて製造される、従って個人情報が記載されたシートが誤って他の個人情報が記載されたシートと組み合わされて製造され、そのまま発送されると個人情報の漏洩となり大きな社会問題となり得る。【０００５】  また、現状、貼り合わせ往復葉書における可能な最多葉片数は、日本郵便株式会社における第二種郵便物の往復葉書の規定により、往信葉書本体と返信葉書のそれぞれ１葉片と、往信葉書本体の両面に貼付された各１葉片の合計４葉片が最多となる。また全体重量が４〜１２ｇであると共に往信葉書及び返信葉書の重量がそれぞれ２〜６ｇの範囲でなければならない。さらに３葉片が貼り合わされた往信葉書の中央葉片（往信葉書本体）が２〜６ｇの範囲になければならず、これら全ての要件を満足することで初めて郵便往復葉書として使用することが可能となる。【０００６】  前記往復葉書としての必須要件を満たすために前記特許文献の往復葉書は、返信葉書の重量不足を二枚のシートの貼り合わせで補っているが、往信葉書にはより多くの制限があり容易に全ての要件を満たすことは困難である。【０００７】  そこで２ｇ以上の葉片を連接して往復葉書とし、往信葉書葉片の両面に２ｇ以下の葉片を貼り合わせて、往復葉書（取り分け往信葉書）の重量規定をクリアする手段が考えられるが、異なる斤量の用紙を組み合わせて用いると、製造工程が非常に複雑になり手間が掛かると共に、依然として異なる用紙に打ち出された個人情報の整合性が問題となる。【０００８】  本発明は、上記問題に鑑み、誤って一つの往復葉書に他の個人情報が記載される等の事故が起こり得ず、仕上がり形態において往信葉書本体及び返信葉書本体が連接されると共に前記各本体が２ｇ〜６ｇの範囲に余裕を持って収まり、また往信葉書がその本体の両面に葉片が貼付された状態で２〜６ｇの範囲に余裕を持って収まるため、第二種郵便物の往復葉書規定を問題なく満たすと共に、その製造が極めて容易に行える往復葉書とその製造方法を提供することを目的としている。
【課題を解決するための手段】
【０００９】  上記目的を達成するために、本発明の往復葉書は、縦方向の折り線を介して横方向に連接された第一葉片、第二葉片及び第三葉片の３葉片と、縦方向の折り線を介して横方向に連接された第四葉片、第五葉片及び第六葉片の３葉片が横方向の折り線を介して第一葉片と第四葉片、第二葉片と第五葉片及び第三葉片と第六葉片がそれぞれ上下に連接された６葉片からなる単位往復葉書用紙を折り畳み、任意の対向面間を剥離可能或いは剥離不能に積層した往復葉書において、往信葉書と返信葉書を往信葉書が上になるように折り合わせた状態で上から第三葉片、第二葉片、第五葉片及び第六葉片の順に重なり往信葉書を形成すると共に前記往信葉書の下に第四葉片及び第一葉片が順に重なり返信葉書を形成した往復葉書であり、往信葉書の本体を形成する第二葉片と第五葉片及び返信葉書の本体を形成する第一葉片と第四葉片が剥離不能に貼り合わせられると共に往信葉書本体の両面に疑似接着媒体を介して第三葉片と第六葉片が剥離可能に貼り合わされ、さらに前記往信葉書本体の両面に貼り合わされた前記第三葉片と第六葉片が往信葉書の下縁辺で折り線を介して連接していることを特徴としていることを特徴としている。【００１０】  なお、前記構成の往復葉書は往信葉書の両面に貼付された葉片が、往信葉書の下辺で折り線を介して連接されているため、往信葉書の下辺を包み込むように袋状に閉じた状態となっているため、この部分を切除して開封することになるが、その切除時期に関しては格別な制限はない。即ち受取人が受取後に手作業により切除して開封しても良く、或いは発送前に製造工程中で予め切除しておいても構わない。【００１１】  また、上記目的を達成するために、本発明の往復葉書の製造方法は、縦方向の折り線を介して横方向に連接された第一葉片、第二葉片及び第三葉片の３葉片と縦方向の折り線を介して横方向に連接された第四葉片、第五葉片及び第六葉片の３葉片が横方向の折り線を介して第一葉片と第四葉片、第二葉片と第五葉片及び第三葉片と第六葉片がそれぞれ上下に連接された６葉片からなる単位往復葉書用紙が、天地の横方向の切取線を介して縦方向に連続的に印刷されると共に両外側にマージナル孔を設けたマージナル部分が縦方向の切取線を介して連接された長尺シートを繰り出すシートの繰り出し工程と、繰り出された長尺シートに印刷された単位往復葉書用紙の疑似接着予定面に疑似接着媒体及び完全接着予定面に完全接着媒体を形成する疑似接着媒体及び完全接着媒体の形成工程と、疑似接着媒体及び完全接着媒体が形成された長尺シートの両外側のマージナル部分を切除すると共に縦方向の折り線に折り手段を形成する切除及び折り手段の形成工程と、マージナル部分が切除されると共に折り手段が形成された長尺シートの第三葉片と第六葉片を疑似接着媒体が対向するように縦方向の折り線から第二葉片と第五葉片側に連続的に折り畳む第一の折り畳み工程と、折り畳まれた長尺シートを単位往復葉書用紙毎に天地の切取線で切り離す切り出し工程と、切り出された単位往復用紙葉書の横方向の折り線を介して上下に連接された葉片の完全接着媒体同士が対向するように前記横方向の折り線から折り畳み往信葉書と返信葉書が見開き状に平面展開した状態にする第二の折り畳み工程と、折り畳まれた単位往復葉書用紙に加圧或いは加熱・加圧処理を施して対向する疑似接着媒体同士及び対向する完全接着媒体同士を接着する接着する接着工程と、見開き状に平面展開している往信葉書と返信葉書を連接する折り線から二つ折りに折り畳む第三の折り畳み工程とからなることを特徴としている。【００１２】  前記往復葉書の製造方法中の両外側のマージナル部分は、例えば予め切除した長尺シートを製造工程の最上流に積載して繰り出しても構わず、或いは繰り出しに際してインタースタッカ等の切除装置で切除しながら繰り出しても構わない。その場合は切除工程を省略することができる。また疑似接着媒体及び完全接着媒体が形成されてから折り畳まれるまでの間で切除されても構わない。さらに、疑似接着媒体及び完全接着媒体の形成工程の前後で段階的に切除されても構わない。【００１３】  また前記往復葉書の製造方法において、折り線に形成される折りミシンや折り筋等公知の折り手段の形成は、疑似接着媒体及び完全接着媒体の形成工程の上流側或いは下流側の何れで形成されても構わない。また上流と下流で分けて段階的に形成されても構わず、さらに当初のシートに形成しておいて加工に入るようにしても良い。なお、疑似接着媒体及び完全接着媒体の形成工程の上流側で形成された折り手段は後に形成される疑似接着媒体及び完全接着媒体には形成されないが、下流側で形成された折り手段は用紙と共に疑似接着媒体及び完全接着媒体にも形成されることになる。【００１４】  さらに、上記目的を達成するために、本発明の異なる態様の往復葉書の製造方法は、縦方向の折り線を介して横方向に連接された第一葉片、第二葉片及び第三葉片の３葉片と縦方向の折り線を介して横方向に連接された第四葉片、第五葉片及び第六葉片の３葉片が横方向の折り線を介して第一葉片と第四葉片、第二葉片と第五葉片及び第三葉片と第六葉片がそれぞれ上下に連接された６葉片からなる単位往復葉書用紙が、縦方向の余白及び横方向の余白に囲まれた状態で印刷された枚葉シートを繰り出すシートの繰り出し工程と、繰り出された枚葉シートに印刷された単位往復葉書用紙の疑似接着予定面に疑似接着媒体及び完全接着予定面に完全接着媒体を形成する疑似接着及び完全接着媒体の形成工程と、疑似接着媒体及び完全接着媒体が形成された枚葉シートの縦方向の余白を切除すると共に縦方向の折り線に折り手段を形成する縦方向の余白の切除及び折り手段の形成工程と、縦方向の余白を切除すると共に折り線に折り手段を形成した枚葉シートに印刷された単位往復葉書用紙の第三葉片と第六葉片を疑似接着媒体が対向するように縦方向の折り線から第二葉片と第五葉片側に連続的に折り畳む第一の折り畳み工程と、折り畳まれた枚葉シートの横方向の余白を切除して単位往復葉書用紙単体に切り出す切り出し工程と、切り出された単位往復葉書用紙の横方向の折り線を介して上下に連接された葉片の完全接着媒体同士が対向するように前記横方向の折り線から折り畳み往信葉書と返信葉書が見開き状に平面展開した状態にする第二の折り畳み工程と、折り畳まれた単位往復葉書用紙に加圧或いは加熱・加圧処理を施して対向する疑似接着媒体同士及び完全接着媒体同士を接着する接着工程と、見開き状に平面展開している往信葉書と返信葉書を連接する折り線から二つ折りに折り畳む第三の折り畳み工程とからなることを特徴としている。【００１５】  前記往復葉書の製造方法において縦方向の余白の切除及び折り手段の形成は、例えば予め切除されている或いは折りミシン等の折り手段が形成されている枚葉シートを、製造工程の最上流に積載して繰り出しても構わず（その場合切除工程或いは折り手段形成工程を省略できる）、或いは繰り出しに際して公知の切除装置や折り手段形成装置で切除又は折り手段を形成しながら繰り出しても構わない。また疑似接着媒体及び完全接着媒体を形成してから切除したり折り手段を形成したりしても構わず、さらに疑似接着媒体及び完全接着媒体の形成工程の上流と下流で分けて段階的に切除したり形成したりしても構わない。【００１６】  既述の往復葉書の製造方法により製造された往復葉書の往信葉書は、往信葉書本体の両面に葉片がそれぞれ貼付された構造になっており、貼付された葉片同士が往信葉書の下辺において折り線を介して連接されており、往信葉書本体の下辺を袋状に回り込むように包んだ状態になっている。従って往信葉書内部の情報を確認するためには、前記袋状に回り込むように包まれている下辺を切除して開放しなければならない。そのため接着工程の後の何れかの箇所に往信葉書の下辺の切除工程を設けておいて、受取人の切除開封の手間を省くように操作しておいても構わない。【００１７】  また第三の折り畳み工程は、第二の接着工程を経た往信葉書と返信葉書が連接された状態の往復葉書を、一連の流れからなるシステムと異なる個別の折り機により、往信葉書と返信葉書が折り重なるように二つ折りに折り畳んでも構わない。この場合手折りにより折り畳んでも良く、或いは前記一連の流れからなるシステムに組み込んで人の手を借りることが無い状態にしても全く構わない。【００１８】  本発明の往復葉書の製造方法は、長尺シートは連続状態のまま、また枚葉シートにおいては各種疑似接着媒体或いは完全接着媒体の連続形成により長尺状態にしておいて、各製造工程を連続的な流れで加工することが好ましいが、例えば各加工作業（ラミネート作業、断裁作業、折り作業、接着作業）ごとに専用加工機を使用して個別に分散して行っても構わない。なお個別に分散して往復葉書を製造する際に、疑似接着媒体の種類により若干工程が分かれる。以下に本発明で利用可能な疑似接着媒体及び完全接着媒体について説明する。【００１９】  本発明の往復葉書の剥離可能な疑似接着を実行するための疑似接着手段として、例えば印刷後の用紙の疑似接着予定面に疑似接着媒体として疑似接着性のＵＶ硬化型ニスやエマルジョン型の弱粘着性の接着剤を塗布して疑似接着性の被膜を形成する、業界で後糊方式と称される手段がある。また印刷前の用紙に予め天然ゴムや合成ゴムを主体とした疑似接着性媒体を塗工して含侵させた、業界で先糊方式（圧着紙）と称される手段がある。さらに疑似接着媒体として二軸延伸ポリプロピレンやポリエチレンテレフタレート等の基材の一方の面に疑似接着層を形成した疑似接着フィルムシートを疑似接着予定面に被覆する、プリントラミネートに対応したフィルム方式等が��る。なお従来使用されている弱粘着剤を疑似接着手段として使用しても構わない。【００２０】  また、本発明の往復葉書で剥離不能な完全接着に使用される完全接着媒体として、例えば感熱性、感圧性及び感湿性の接着剤を使用して、印刷後或いは印刷前の用紙の完全接着予定面に塗布しておいて、折り畳み完了後に加熱、加圧及び加湿等の条件を施して貼り合わせても構わない。また二軸延伸ポリプロピレンやポリエチレンテレフタレート等の基材の一方の面に、既述の各種条件の付加により接着性を発揮する完全接着剤層を形成したフィルムシートを完全接着予定面に被覆する、プリントラミネートに対応したフィルムシートを使用しても構わない。【００２１】  なお、剥離可能な疑似接着及び剥離不能な完全接着は往復葉書の製造方法における接着工程で実行されるが、その際に両接着が同一条件の付加により実行されることが好ましい。例えばヒートローラ等による加熱・加圧処理で両接着を一挙に完了させたり、金属製の加圧ローラ等により加圧したりすることにより一挙に完了させることが好ましい。【００２２】  既述の後糊方式に係る疑似接着媒体を使用した、専用加工機による往復葉書の製造方法は、縦方向の折り線を介して横方向に連接された第一葉片、第二葉片及び第三葉片の３葉片と縦方向の折り線を介して横方向に連接された第四葉片、第五葉片及び第六葉片の３葉片が横方向の折り線を介して第一葉片と第四葉片、第二葉片と第五葉片及び第三葉片と第六葉片がそれぞれ上下に連接された６葉片からなる単位往復葉書用紙が印刷された長尺シート或いは枚葉シートの疑似接着予定面に疑似接着媒体及び完全接着予定面に完全接着媒体を形成する疑似接着媒体及び完全接着媒体の形成工程と、疑似接着媒体及び完全接着媒体が形成された長尺シート或いは枚葉シートに印刷された単位往復葉書用紙を切り出す切り出し工程と、切り出された単位往復葉書用紙の第三葉片と第六葉片を疑似接着媒体が対向するように縦方向の折り線から第二葉片と第五葉片側に折り畳み、次に単位往復葉書用紙の横方向の折り線を介して上下に連接された葉片の完全接着媒体同士が対向するように前記横方向の折り線から折り畳み往信葉書と返信葉書が見開き状に平面展開した状態とした後にさらに前記往信葉書と返信葉書をその連接する折り線から二つ折りに折り畳み最終形態とする折り畳み工程と、折り畳まれた単位往復葉書用紙に加圧或いは加熱・加圧処理を施して対向する疑似接着媒体同士を剥離可能に接着し完全接着媒体同士を剥離不能に接着する接着工程とからなることを特徴としている。【００２３】  既述の先糊方式に係る疑似接着媒体を使用した、専用加工機による往復葉書の製造方法は、所定面に疑似接着媒体及び完全接着媒体が形成された長尺シート或いは枚葉シートの表裏面に、縦方向の折り線を介して横方向に連接された第一葉片、第二葉片及び第三葉片の３葉片と縦方向の折り線を介して横方向に連接された第四葉片、第五葉片及び第六葉片の３葉片が横方向の折り線を介して第一葉片と第四葉片、第二葉片と第五葉片及び第三葉片と第六葉片がそれぞれ上下に連接された６葉片からなる単位往復葉書用紙を印刷する印刷工程と、印刷が完了した長尺状或いは枚葉状のシートの単位往復葉書を切り出す切り出し工程と、切り出された単位往復葉書用紙の第三葉片と第六葉片を疑似接着媒体が対向するように縦方向の折り線から第二葉片と第五葉片側に折り畳み、次に単位往復葉書用紙の横方向の折り線を介して上下に連接された葉片の完全接着媒体同士が対向するように前記横方向の折り線から折り畳み往信葉書と返信葉書が見開き状に平面展開した状態とした後にさらに前記往信葉書と返信葉書をその連接する折り線から二つ折りに折り畳み最終形態とする折り畳み工程と、折り畳まれた単位往復葉書用紙に加圧或いは加熱・加圧処理を施して対向する疑似接着媒体同士を剥離可能に接着し完全接着媒体同士を剥離不能に接着する接着工程とからなることを特徴としている。【００２４】  なお、前記２種類の往復葉書の製造方法において、往信葉書と返信葉書が連接された見開き状に展開された状態まで折り畳み各種接着媒体の接着工程を経て、その後前記接着工程の下流側で往信葉書と返信葉書を二つ折りして最終形態にするように第二の折り畳み工程を配置しても構わない。特に既述の先糊方式の場合、疑似接着予定面以外にも疑似接着媒体が存在することが考えられるため、往信葉書と返信葉書を二つ折りした最終形態に仕上げた後に接着工程を通過すると、両葉書が接着してしまう可能性があるため、その場合はこのように折り畳み工程を配置すると両葉書の接着を回避することができる。【００２５】  また既述の全ての往復葉書の製造方法において、接着工程の前或いは後に少なくとも往信葉書の下辺を切除して（返信葉書の下辺を同時に切除しても構わない）封緘を開放するための切除工程を設けておいて、受取人の切除開封の手間を省くように操作しても構わない。なお前記切除工程は少なくとも往信葉書の下辺の連接部分を切除して、往信葉書本体の両面に貼付されている各葉片を剥離して展開することが可能にすることを目的としているが、返信葉書の下辺も一緒に切除しても構わない。【００２６】  本発明の往復葉書に使用される用紙は、２葉片が貼り合わせた状態の往信葉書及び返信葉書の各本体重量が２〜６ｇとなり、また往信葉書の重量が２葉片を貼り合わせた本体とその両面に貼付された葉片の合計４葉片で２〜６ｇであればよい。そのような条件を満足する用紙として、例えば斤量が四六伴で４５ｋｇ前後の用紙を好適に使用することができる。前記用紙で規定サイズの往復葉書を製造すると、往信葉書が大よそ５〜６ｇ、返信葉書が大よそ２〜３ｇの範囲に収まる。【００２７】  往復葉書に使用される用紙は、例えば上質紙、マット紙、コート紙等を好適に使用することができるが、そのほかに合成紙、不織布及び各種樹脂からなるフィルムシート等を使用しても構わない。また斤量に関しては前記四六判で４５ｋｇ、５５ｋｇ以外に、５５〜７０ｋｇの範囲の用紙や、その他にも規定重量範囲に入るように調整した特漉き用紙を使用しても構わない。
【発明の効果】
【００２８】  本発明の往復葉書によれば、個人情報が打ち出された一枚の用紙を折り畳み製造するため、複数の別体からなる用紙を貼り合わせ加工する場合に生じる、異なる個人情報が記載された用紙を貼り合わせてしまう事故がない。従って個人情報の漏出を確実に防ぐことができる。【００２９】  また往信葉書及び返信葉書の各本体が連接されているため、第二種郵便物の往復葉書の規定に反することはなく、使用に際して何ら問題はない。【００３０】  さらに往信葉書及び返信葉書の各本体が２ｇ〜６ｇの範囲に余裕を持って収まると共に、往信葉書もその本体の両面に葉片が貼付された状態で２〜６ｇの範囲に余裕を持って収まる。【００３１】  さらにまた、本発明の往復葉書の製造方法によれば、６葉片の複雑な折り畳みにより構成されているにも関わらず、素人でも簡単に大量な往復葉書を短時間で容易に製造することができる。
【図面の簡単な説明】
【００３２】
【図１】（Ａ）は往復葉書Ｊ１を往信葉書Ｖと返信葉書Ｗを開いて平面に展開した際の表面図、（Ｂ）は裏面図である。
【図２】（Ａ）は図１（Ａ）における▲１▼−▲１▼線断面図、（Ｂ）は▲２▼−▲２▼線断面図である。
【図３】（Ａ）及び（Ｂ）は往復葉書Ｊ１の斜視図である。
【図４】（Ａ）は往復葉書Ｊ１の往信葉書Ｖを開封するに際して切除する位置を示す平面図、（Ｂ）は往信葉書Ｖの開封状態を示す斜視図である。
【図５】（Ａ）は往復葉書Ｊ１の製造に使用する長尺状のシートＳ１の表面図、（Ｂ）は裏面図である。
【図６】長尺状のシートＳ１を使用した往復葉書Ｊ１の製造方法における前半の繰り出し工程から折り畳み工程迄を示す要部概略図である。
【図７】（Ａ）は長尺状のシートＳ１を使用した往復葉書Ｊ１の製造方法における被覆工程で、長尺状のシートＳ１の完全接着予定面に完全接着フィルムシートＫが被覆された状態を示す表面図、（Ｂ）は疑似接着予定面に疑似接着フィルムシートＧが被覆された状態を示す裏面図である。
【図８】（Ａ）は図７（Ａ）の両外側のマージナル部分１３が切除されると共に折り線７、８に折り筋及び折りミシンが形成された状態を示す平面図、（Ｂ）は（Ａ）における▲３▼−▲３▼線断面図である。
【図９】往復葉書Ｊ１の製造方法における第一の折り畳み工程で第二葉片２及び第三葉片３が折り線８から対向するように折り畳まれた長尺状シートＳ１の平面図、（Ｂ）は（Ａ）における▲４▼−▲４▼線断面図である。
【図１０】長尺状のシートＳ１を使用した往復葉書Ｊ１の製造方法における後半の最終切除工程から最終の折り畳み工程迄を示す要部概略図である。
【図１１】（Ａ）は断裁工程を経て単品に仕上げられた単位往復葉書用紙ｔ１の表面図、（Ｂ）は（Ａ）における▲５▼−▲５▼線断面図、（Ｃ）は（Ａ）における▲６▼−▲６▼線断面図である。
【図１２】（Ａ）は第三の折り畳み工程を経て往信葉書及び返信葉書が折り線７から二つ折りに折り畳まれ最終の形態になった往復葉書Ｊ１の平面図、（Ｂ）は（Ａ）における▲７▼−▲７▼線断面図である。
【図１３】（Ａ）は往復葉書Ｊ２を往信葉書Ｖと返信葉書Ｗを開いて平面に展開した際の表面図、（Ｂ）は裏面図である。
【図１４】（Ａ）は図１３（Ａ）における▲８▼−▲８▼線断面図、（Ｂ）は▲９▼−▲９▼線断面図である。
【図１５】（Ａ）は往復葉書Ｊ２の往信葉書Ｖを開封するに際して切除する位置を示す平面図、（Ｂ）は往信葉書Ｖの開封状態を示す斜視図である。
【図１６】（Ａ）は往復葉書Ｊ２の製造に使用する枚葉状のシートＳ２の表面図、（Ｂ）は裏面図である。
【図１７】枚葉状のシートＳ２を使用した往復葉書Ｊ２の製造方法における前半の繰り出し工程から折り畳み工程迄を示す要部概略図である。
【図１８】（Ａ）は枚葉状のシートＳ２を使用した往復葉書Ｊ２の製造方法における被覆工程で、枚葉状のシートＳ２の完全接着予定面に完全接着フィルムシートＫが被覆された状態を示す表面図、（Ｂ）は疑似接着予定面に疑似接着フィルムシートＧが被覆された状態を示す裏面図である。
【図１９】（Ａ）は縦方向の余白Ｘが切除されると共に折り線５７、５８に折り筋及び折りミシンが形成された状態を示す平面図、（Ｂ）は（Ａ）における▲１０▼−▲１０▼線断面図である。
【図２０】往復葉書Ｊ２の製造方法における第一の折り畳み工程で第二葉片５２及び第三葉片５３が折り線５８から対向するように折り畳まれた枚葉状のシートＳ２の平面図、（Ｂ）は（Ａ）における▲１１▼−▲１１▼線断面図である。
【図２１】（Ａ）は断裁工程を経て単品に仕上げられた単位往復葉書用紙ｔ２の表面図、（Ｂ）は（Ａ）における▲１２▼−▲１２▼線断面図、（Ｃ）は（Ａ）における▲１３▼−▲１３▼線断面図である。
【図２２】（Ａ）は第三の折り畳み工程を経て往信葉書及び返信葉書が折り線５７から二つ折りに折り畳まれ最終の形態になった往復葉書Ｊ２の平面図、（Ｂ）は（Ａ）における▲１４▼−▲１４▼線断面図である。
【図２３】（Ａ）及び（Ｂ）は貫通孔Ｈの異なる形成位置の例を示す平面図である。
【図２４】長尺状のシートＳ１による往復葉書Ｊ１の製造方法と異なる態様のセンサ読取用のマークＭを有する長尺状シートの平面図である。
【発明を実施するための形態】
【００３３】  以下、本発明の実施の形態を図面に基づいて具体的に説明する。なお本実施例では疑似接着媒体として疑似接着フィルムシートＧを、また完全接着媒体として完全接着フィルムシートＫを使用して説明しているが既述の他の各種媒体に代えても構わない。
【００３４】［往復葉書Ｊ１］
図１（Ａ）、（Ｂ）及び図２（Ａ）、（Ｂ）に示す往復葉書Ｊ１は、図５（Ａ）、（Ｂ）に示すように縦方向の折り線７、８を介して横方向に連接された第一葉片１、第二葉片２及び第三葉片３の３葉片と、縦方向の折り線７、８を介して横方向に連接された第四葉片４、第五葉片５及び第六葉片６の３葉片が横方向の折り線９を介して第一葉片と第四葉片、第二葉片と第五葉片及び第三葉片と第六葉片がそれぞれ上下に連接された、６葉片からなる単位往復葉書用紙ｔ１が前記折り線７、８及び９から縦横に折り畳まれてなる。そして剥離不能に接着された第二葉片２及び第五葉片５からなる往信葉書本体に、第三葉片３及び第六葉片６が重ね合わされた合計４葉片からなる往信葉書Ｖの、前記往信葉書本体と剥離不能に接着された第一葉片１及び第四葉片４からなる返信葉書Ｗ（返信葉書本体）が、折り線７を介して連接されている。
【００３５】  また第三葉片３と第二葉片２及び第五葉片５と第六葉片６の対向面間には疑似接着フィルムシートＧが配置され、それにより各対向面間は剥離可能に接着している。また往信葉書本体を構成する第二葉片２と第五葉片５及び返信葉書本体を構成する第一葉片１と第四葉片４の対向面間には、往信葉書Ｖにおいて折り線８を越えて第三葉片３及び第六葉片６側へ回り込む状態で完全接着フィルムシートＫが配置され、それにより両対向面間は剥離不能に接着している。
【００３６】  なお往信葉書Ｖを構成する第三葉片３表面の左側縁辺に沿って複数の円形の貫通孔Ｈが、第二葉片２の左側縁辺に沿って記載されている「郵便往復葉書」の文言を、折り畳み重ね合わせた後に外部から視認できるように形成されている。
【００３７】  往信葉書Ｖは図４（Ｂ）に示すように、疑似接着フィルムシートＧを介して剥離可能に接着していた第二葉片２と第三葉片３間及び第五葉片５と第六葉片６間を剥離して見開き状に展開することができる。また既述の通り、往信葉書Ｖの本体となる第二葉片２と第五葉片５間は完全接着フィルムシートＫにより剥離不能に接着一体化されている。
【００３８】  なお図１（Ａ）、（Ｂ）及び図２（Ａ）、（Ｂ）では、往信葉書Ｖ及び返信葉書Ｗが折り線７を介して横並びに展開された状態で記載されているが、実際に使用するに当たり往信葉書Ｖ及び返信葉書Ｗは図３（Ａ）及び（Ｂ）に示すように折り線７から二つ折りに折り畳まれ、最終的に図１２（Ａ）及び（Ｂ）の状態に仕上げられ投函される。
【００３９】  この往復葉書Ｊ１の受取人は、図４（Ａ）に示す、往復葉書Ｊ１の下側縁辺に沿って二点鎖線で示す、切落し線Ｚ（破線や鋏等のマーク或いは「ここから切り落とす」等の文言の表示により切り落としが示唆されていても構わない）を鋏やカッター等の切除道具で切除して、往信葉書Ｖの袋状に閉じられた下辺を開放した後に、図４（Ｂ）に示すように往信葉書Ｖに貼付された各葉片を見開き状に剥離展開し、内部の情報を透明或いは半透明の疑似接着フィルムシートＧを透して視認することができる。なお往信葉書Ｖの下辺の切除に際して、返信葉書Ｗの下辺を一緒に切除しても構わない。
【００４０】  そして返信する際に折り線７から往信葉書Ｖと返信葉書Ｗを切り離し、例えば往信葉書Ｖの各面に記載されているアンケート等質問の回答を返信葉書Ｗの回答欄に記載して投函する。そして残された往信葉書Ｖは製本状態で保管されるのである。
【００４１】  なお、受取人の切除動作を省くために、往復葉書の使用に際して予め前記往信葉書Ｖの袋状に閉じられた下側縁辺部分の切落し線Ｚを切除しておいても構わない。
【００４２】  また、前記切り落とし線Ｚ部分に切り落としミシンを別工程で形成しておいて、受取人が手で容易に破断除去できるように操作しておいても構わず、或いは折り線９に切取ミシンを形成し、さらに疑似接着フィルムシートＧに複数の微細な穴を設けたり破断が容易な基材を使用したりすることで、鋏やカッター等の切除道具を用いることなく手で容易に破断開封できるように操作しても構わない。
【００４３】［長尺状のシートＳ１による往復葉書Ｊ１の製造方法］
往復葉書Ｊ１の製造に使用するシートＳ１は図５（Ａ）及び（Ｂ）に示すように、縦方向の折り線７、８を介して横方向に連接された第一葉片１、第二葉片２及び第三葉片３の３葉片と、縦方向の折り線７、８を介して横方向に連接された第四葉片４、第五葉片５及び第六葉片６の３葉片が横方向の折り線９を介して第一葉片と第四葉片、第二葉片と第五葉片及び第三葉片と第六葉片がそれぞれ上下に連接された６葉片からなる単位往復葉書用紙ｔ１が、天地の切取線１０を介して縦方向に印刷されている。そして前記単位往復葉書用紙ｔ１の両外側には切取線１１を介して、マージナル孔１２が設けられたマージナル部分１３が連接されている。
【００４４】  既述の構成のシートＳ１は図６に示すように加工工程の最上流左下の用紙載せ台２０上に載置され、最上面のシートＳ１から上方のサポートローラ２１へ引き上げられるとほぼ水平に向きを変えて、右側に配置されたピントラクタ２２のピンとマージナル孔１２を嵌合させてさらに右側に配置された一対のヒートローラ２３ａ、２３ｂからなる被覆装置へ送り込まれる。なおシートＳ１の繰り出しに際して、ロール状に巻き取られたシートＳ１を直接ピントラクタ２２へ繰り出すようにしても構わない。
【００４５】  前記被覆装置では上方及び下方に待機しているロールから繰り出される完全接着フィルムシートＫ及び疑似接着フィルムシートＧが、図７（Ａ）及び（Ｂ）に斜線で示すようにシートＳ１の所定の位置に整合され連続的に被覆される。
【００４６】  前記疑似接着フィルムシートＧは、二軸延伸ポリプロピレンの一方の面に公知の感熱接着剤層が形成されており、さらにその逆側の面に疑似接着層が形成された市販のプリントラミネート用疑似接着フィルムシートを好適に使用することができる。このものは印刷物表面に前記感熱接着剤層を介して剥離不能に接着した後に、疑似接着層同士が対向するように折り畳み加圧或いは加熱・加圧処理を施すと剥離可能に接着する。そしてその後容易に引き剥がすことができる。
【００４７】  また前記完全接着フィルムシートＫは、二軸延伸ポリプロピレンの一方の面に公知の感熱接着剤層が形成されており、さらにその逆側の面にヒート処理層が形成された市販のプリントラミネート用完全接着フィルムシートを好適に使用することができる。このものは印刷物表面に前記感熱接着剤層を介して剥離不能に接着した後に、ヒート処理層同士が対向するように折り畳み加圧或いは加熱・加圧処理を施すと剥離不能に接着する。
【００４８】  なお前記疑似接着フィルムシートは、疑似接着層同士を対向させて加熱・加圧等の条件を加えて初めて剥離可能に接着するもので、例えば疑似接着層と用紙表面を対向させて加圧或いは加熱・加圧等の接着条件を施しても接着することはない。同様に完全接着フィルムシートにおいてもヒート処理層同士が対向しない限り接着することはない。
【００４９】  そして所定面に既述の各種フィルムシートが被覆されたシートＳ１は、次に図８（Ａ）及び（Ｂ）に示すように、両外側のマージナル部分１３を並列に配置された２枚のスリット刃２４ａ及び２４ｂとバックアップローラ２５からなる切除装置により切除され、またミシン刃２４ｃとバックアップローラ２５及び筋入れ刃２４ｄとバックアップローラ２５からなる折り手段形成装置により、折り線７に折り筋を形成すると共に折り線８に折りミシンを形成する。なお前記スリット刃２４ａ及び２４ｂ、ミシン刃２４ｃ及び筋入れ刃２４ｄはバックアップローラ２５上に並列に配置（図では一つの刃で記載している）されているため、前記切除と折り手段の形成は同時に行われるが、バックアップローラを増設して装置を別々に配置して段階的に実行するようにしても構わない。
【００５０】  なお前記マージナル部分１３の切除と各折り線への折り手段の形成は、各種フィルムシートの被覆前又は後、或いは被覆の前後に分散して行っても構わない。また、加工工程の最上流から繰り出す際に、予めマージナル部分１３を切除しておくと共に各種折り手段を形成しておけば、被覆する各種フィルム幅を考慮することで前記切除及び折り手段形成の工程を省略することができる。そして既述の通り切除と折り手段形成の工程を経たシートＳ１は、右側に配置された第一の折り畳み装置へと送り込まれる。
【００５１】  前記第一の折り畳み装置では、下方のサポートローラ２７から上方のサポートローラ２８へ引き上げられるまでに、図示されないガイド板やガイドバーによりシートＳ１は図９（Ａ）及び（Ｂ）に示すように、第三葉片３と第六葉片６が第二葉片２と第五葉片５に対向するように折り線８から折り畳まれ上方のサポートローラ２８で略水平に向きを変えると、図１０に示すように右側に配置されたニップローラ２９ａ、２９ｂにより、さらに右側に配置されている断裁刃３１ａと固定刃３１ｂからなる切り出し装置へ送り込まれる。
【００５２】  前記切り出し装置では図９（Ａ）及び図１０に示す状態で、通過するシートＳ１のマークＭをセンサ３０が読み取ると移動距離のカウントを開始する。そして最初に単位往復葉書用紙ｔ１の天辺に当たる切取線１０を断裁すると引き続き移動距離のカウントを継続し、次に地辺に当たる切取線１０を断裁することで単位往復葉書用紙ｔ１を図１１（Ａ）、（Ｂ）及び（Ｃ）に示す状態に切り出す。前記断裁動作は後続の単位往復葉書用紙ｔ１でも行われ、切り出された用紙は右側に配置された折りローラ３２ａ、３２ｂ、３２ｃと折りトレー３３との組み合わせからなる第二の折り畳み装置へ送り込まれる。
【００５３】  前記第二の折り畳み装置では、単体に切り出された単位往復葉書用紙ｔ１が、折りローラ３２ａ、３２ｂにより折りトレー３３へ送り込まれる。そして単位往復葉書用紙ｔ１が用紙全体の縦長さの半分の位置（折り線９）まで折りトレー３３内に侵入すると先端がストッパ３４に突き当たり一旦停止する。すると今度は折りローラ３２ｂ、３２ｃにより、その場に位置する折り線９から銜え込まれ図１（Ａ）、（Ｂ）及び図２（Ａ）、（Ｂ）の状態に二つ折りされながら、右下に配置されている一対の搬送ローラ３５ａ、３５ｂと一対のヒータパネル３６ａ、３６ｂが交互に配置されると共に排出口に一対の加圧ローラ３７ａ、３７ｂが配置された接着装置へ送り込まれる。
【００５４】  前記接着装置を通過する単位往復葉書用紙ｔ１は複数の一対のヒータパネル３６ａ、３６ｂにより十分に加熱され、排出口に設けられている一対の加圧ローラ３７ａ、３７ｂにより加圧されることにより、折り畳まれて対向する疑似接着フィルムシートＧ同士及び完全接着フィルムシートＫ同士がそれぞれ剥離可能及び剥離不能に接着されると、さらに右側に配置されたベルトコンベア等からなるスタッカ３８に順次積載され、その後図１０の下方に二点鎖線で囲まれる折り専用機Ｑ（第三の折り畳み装置）へ移されて最終処理が施される。
【００５５】  前記折り専用機Ｑでは、例えば前記ベルトコンベア３８上に集積された往復葉書Ｊ１を用紙載せ台４２上に移し替え、下側の往復葉書Ｊ１から順にフィードローラ４３により右側に配置されている折りローラ４４ａ、４４ｂへ順次送り出す。送り出された往復葉書Ｊ１は前記折りローラ４４ａ、４４ｂに銜えられ右側のトレー４５へ送り込まれる。そしてストッパ４６に突き当たると折り線７の部分が折りローラ４４ｂ、４４ｃに衞えられて二つ折りされスタッカ４７上へ排出される。排出された往復葉書Ｊ１は図１２（Ａ）及び（Ｂ）に示すように、往信葉書Ｖ及び返信葉書Ｗが折り線７で二つ折りに折り畳まれた最終形態となり、その後投函されるのである。
【００５６】  なお前記折り専用機Ｑは、接着装置までの一貫したシステムに連続させても構わない。例えば接着装置から排出される単位往復葉書用紙ｔ１（往信葉書Ｖ及び返信葉書Ｗが見開き状に展開している）を、スタッカ３８に連接された折り専用機Ｑへ送り込むように配置して自動的に最終形態まで折り畳む処理を施しても構わない。
【００５７】［往復葉書Ｊ２］
図１３（Ａ）、（Ｂ）及び図１４（Ａ）、（Ｂ）に示す往復葉書Ｊ２は、図１６（Ａ）、（Ｂ）に示す縦方向の折り線５７、５８を介して横方向に連接された第一葉片５１、第二葉片５２及び第三葉片５３と、縦方向の折り線５７、５８を介して横方向に連接された第四葉片５４、第五葉片５５及び第六葉片５６が、横方向の折り線５９を介して第一葉片５１と第四葉片５４、第二葉片５２と第五葉片５５及び第三葉片５３と第六葉片５６がそれぞれ上下に連接された単位往復葉書用紙ｔ２を、前記折り線５７、５８及び５９から縦横に折り畳まれてなる。そして第二葉片５２及び第五葉片５５が重ね合わされた往信葉書本体に第三葉片５３及び第六葉片５６が重ね合わされた合計４葉片からなる往信葉書Ｖと、第一葉片５１及び第四葉片５４の２葉片が重ね合わされた返信葉書Ｗ（返信葉書本体）が、前記往信葉書本体と折り繰５７を介して連接されている。
【００５８】  また第三葉片５３と第二葉片５２及び第五葉片５５と第六葉片５６の対向面間には疑似接着フィルムシートＧが配置され、それにより各対向面間は剥離可能に接着している。また往信葉書本体を構成する第二葉片５２と第五葉片５５及び返信葉書本体を構成する第一葉片５１と第四葉片５４の対向面間には、往信葉書Ｖにおいて折り線５８を越えて第三葉片５３及び第六葉片５６側へ回り込む状態で完全接着フィルムシートＫが配置され、それにより両対向面間は剥離不能に接着している。
【００５９】  なお往信葉書Ｖを構成する第三葉片５３表面の左側縁辺に沿って長方形の貫通孔Ｈが、第二葉片５２の左側縁辺に沿って記載されている「郵便往復葉書」の文言を視認できるように形成されている。
【００６０】  往信葉書Ｖは図１５（Ｂ）に示すように、疑似接着フィルムシートＧを介して剥離可能に接着していた第二葉片５２と第三葉片５３間及び第五葉片５５と第六葉片５６間を見開き状に剥離展開することができる。また既述の通り、往信葉書Ｖの本体となる第二葉片５２と第五葉片５５間は完全接着フィルムシートＫにより剥離不能に接着一体化されている。
【００６１】  なお図１３（Ａ）、（Ｂ）及び図１４（Ａ）、（Ｂ）では、往信葉書Ｖ及び返信葉書Ｗが折り線５７を介して横並びに連接された状態で記載されているが、実際に使用するに当たり往信葉書Ｖ及び返信葉書Ｗは折り線５７から二つ折りに折り畳まれ、最終的に図２２（Ａ）及び（Ｂ）の状態に仕上げられてから投函される。
【００６２】  この往復葉書Ｊ２の受取人は図１５（Ａ）に示す往復葉書Ｊ２の下側縁辺に沿って二点鎖線で示す、切落し線Ｚ（破線や鋏等のマーク或いは「ここから切り落とす」等の文言の表示により切り落としが示唆されていても構わない）を鋏やカッター等の切除道具で切除して、往信葉書Ｖの袋状に閉じられた下側縁辺を開放した後に図１５（Ｂ）に示すように各葉片を見開き状に剥離展開し、内部の情報を透明或いは半透明の疑似接着フィルムシートＧを透して視認することができる。なお往信葉書Ｖの下辺の切除に際して、返信葉書Ｗの下辺を一緒に切除しても構わない。
【００６３】  そして返信する際に折り線５７で往信葉書Ｖと返信葉書Ｗを切り離し、例えば往信葉書Ｖの各面に記載されているアンケート等質問の回答を返信葉書Ｗの回答欄に記載して投函する。そして残された往信葉書Ｖは製本状態で保管されるのである。
【００６４】  なお、受取人の切除動作を省くために、往復葉書の使用に際して予め前記往信葉書Ｖの袋状に閉じられた下側縁辺部分の切落し線Ｚを切除しておいても構わない。
【００６５】  また、前記切り落とし線Ｚ部分に切り落としミシンを別工程で形成しておいて、受取人が手で容易に破断除去できるように操作しておいても構わず、或いは折り線５９に切取ミシンを形成し、さらに疑似接着フィルムシートＧに複数の微細な穴を設けたり破断が容易な基材を使用したりすることで、鋏やカッター等の切除道具を用いることなく手で容易に破断開封できるように操作しても構わない。
【００６６】［枚葉状のシートＳ２による往復葉書Ｊ２の製造方法］
往復葉書Ｊ２の製造に使用するシートＳ２は図１６（Ａ）及び（Ｂ）に示すように、縦方向の折り線５７、５８を介して横方向に連接された第一葉片５１、第二葉片５２及び第三葉片５３と、縦方向の折り線５７、５８を介して横方向に連接された第四葉片５４、第五葉片５５及び第六葉片５６が、横方向の折り線５９を介して第一葉片５１と第四葉片５４、第二葉片５２と第五葉片５５及び第三葉片５３と第六葉片５６がそれぞれ上下に連接された単位往復葉書用紙ｔ２が印刷されている。そして前記単位往復葉書用紙ｔ２は縦方向の余白Ｘと横方向の余白Ｙにより周囲が囲まれ、第二葉片５２の上方横方向の余白に、センサ読取用のマークＭが印刷されている。
【００６７】  既述の構成のシートＳ２は図１７に示すように、加工工程最上流左下の用紙載せ台７０上に複数枚積載され最上面のシートＳ２から、吸着パッド７１等からなる給紙装置（静電ベルトやフィードローラ等でも構わない）により一枚ずつ等間隔で下流の加工工程へ順次繰り出される。そして例えば一対のヒートローラ７３ａ７３ｂからなるフィルムシートの被覆装置（ラミネータ等）へ送り込まれると、図１８（Ａ）及び（Ｂ）に斜線で示すように、上方及び下方に待機しているロールから繰り出される完全接着フィルムシートＫ及び疑似接着フィルムシートＧが、シートＳ２表裏面の完全接着予定面及び疑似接着予定面に整合されて連続的に被覆され、右側に配置された切除及び折り手段形成装置へ送り込まれる。
【００６８】  前記切除及び折り手段形成装置では図１９（Ａ）及び（Ｂ）に示すように、右側のバックアップローラ７５上に並列に配置されたスリット刃７４ａ、７４ｂにより両外側の縦方向の余白Ｘを切除すると共に、さらにバックアップローラ７５上に前記スリット刃７４ａ、７４ｂと並列に配置されている筋入れ刃７４ｃ、ミシン刃７４ｄにより折り線５７、５８に折り筋と折りミシンをそれぞれ形成する。なお前記両外側の縦方向の余白Ｘの切除と各折り線への折り手段の形成は、既述の通り同一のバックアップローラ上で同時に行われる必要はなく、分散して段階的に行われても構わない。また各種フィルムシートの被覆前又は後或いは前後に分散して行われても構わない。さらに、加工工程の最上流から繰り出す際に、予め縦方向の余白Ｘを切除し各種折り手段を形成しておけば、前記切除及び折り手段形成の工程は省略することができる。既述の通り縦方向の余白Ｘが切除されると共に折り線に折り手段が形成されたシートＳ２は、右側に配置された一対のニップローラ７６ａ、７６ｂにより右側の第一の折り畳み装置へ送り込まれる。
【００６９】  前記折り畳み装置でシートＳ２は、下方のサポートローラ７７から上方のサポートローラ７８へ引き上げられる間に、図示されない複数のガイド板やガイドバーにより図２０（Ａ）及び（Ｂ）に示すように、第三葉片５３及び第六葉片５６が折り線５８から第二葉片５２及び第五葉片５５と折り合わされると、上方のサポートローラ７８でほぼ水平に向きを変え、図１０に示す後半の加工工程を構成する各種製造装置へ右側に配置された一対のニップローラ２９ａ、２９ｂにより送り込まれる。
【００７０】  前記一対のニップローラ２９ａ、２９ｂによりシートＳ２は、右側に配置された断裁刃３１ａ及び固定刃３１ｂからなる切り出し装置へ送り込まれる。前記切り出し装置では図２０（Ａ）に示す状態で、通過するシートＳ２のマークＭをセンサ３０が読み取ると移動距離のカウントを開始する。そして最初に単位往復葉書用紙ｔ２の天辺Ｌ１を断裁すると引き続き移動距離のカウントを継続し、次に地辺Ｌ２を断裁することで単位往復葉書用紙ｔ２を図２１（Ａ）、（Ｂ）及び（Ｃ）に示す状態に切り出す。前記断裁動作は後続のシートＳ２でも行われ、切り出された単位往復葉書用紙Ｓ２は、右側に配置された折りローラ３２ａ、３２ｂ、３２ｃと折りトレー３３との組み合わせからなる第二の折り畳み装置へ送り込まれる。
【００７１】  前記第二の折り畳み装置では、単体に切り出された単位往復葉書用紙ｔ２が、折りローラ３２ａ、３２ｂにより折りトレー３３へ送り込まれる。そして単位往復葉書用紙ｔ２が用紙全体の縦長さの半分の位置（折り線５９）まで折りトレー３３内に侵入すると先端がストッパ３４に突き当たり一旦停止する。すると今度は折りローラ３２ｂ、３２ｃにより、その場に位置する折り線５９から銜え込まれ図１３（Ａ）、（Ｂ）及び図１４（Ａ）、（Ｂ）の状態に二つ折りされながら、右下に配置されている一対の搬送ローラ３５ａ、３５ｂと一対のヒータパネル３６ａ、３６ｂが交互に配置されると共に排出口に一対の加圧ローラ３７ａ、３７ｂが配置された接着装置へ送り込まれる。
【００７２】  前記接着装置を通過する単位往復葉書用紙ｔ２は複数の一対のヒータパネル３６ａ、３６ｂにより十分に加熱され、排出口に設けられている一対の加圧ローラ３７ａ、３７ｂにより加圧されることにより、折り畳まれて対向する疑似接着フィルムシートＧ同士及び完全接着フィルムシートＫ同士がそれぞれ剥離可能及び剥離不能に接着されると、さらに右側に配置されたベルトコンベア等からなるスタッカ３８に順次積載され、その後図１０の下方に二点鎖線で囲まれる折り専用機Ｑ（第三の折り畳み装置）へ移されて最終処理が施される。
【００７３】  前記折り専用機Ｑでは、例えば前記ベルトコンベア３８上に集積された往復葉書Ｊ２を用紙載せ台４２上に移し替え、フィードローラ４３により右側に配置されている折りローラ４４ａ、４４ｂへ順次送り出す。送り出された往復葉書Ｊ２は前記折りローラ４４ａ、４４ｂに銜えられ右側のトレー４５へ送り込まれる。そしてストッパ４６に突き当たると折り線５７の部分が折りローラ４４ｂ、４４ｃに銜えられて二つ折りされスタッカ４７上へ排出される。排出された往復葉書Ｊ２は図２２（Ａ）及び（Ｂ）に示すように、往信葉書Ｖ及び返信葉書Ｗが折り線５７で二つ折りに折り畳まれた最終形態となり、その後投函されるのである。
【００７４】  なお前記折り専用機Ｑは、接着装置までの一貫したシステムに連続させても構わない。例えば接着装置から排出される単位往復葉書用紙ｔ２（往信葉書Ｖ及び返信葉書Ｗが見開き状に展開している）を、スタッカ３８に連接された折り専用機Ｑへ送り込むように配置して自動的に最終形態まで折り畳む処理を施しても構わない。
【００７５】  既述の往復葉書Ｊ１、Ｊ２の製造方法は、長尺状のシート或いは枚葉状のシートに各種フィルムシートを連続的に被覆することにより、連続状態（枚葉シートは各種フィルムシートの連続被覆により長尺状態になっている）でほぼ一貫した工程により連続的に加工する製造方法を記載しているが、以下に説明するように各工程の専用加工機を使用し、分業により製造する方法でも構わない。
【００７６】［長尺状シート或いは枚葉状シートによる往復葉書Ｊ１及びＪ２の分業による製造方法１］
以下フィルム方式或いは後糊方式の場合の往復葉書Ｊ１及びＪ２の製造方法を述べる。
１）単位往復葉書用紙ｔ１或いはｔ２が印刷された長尺状或いは枚葉状のシートの疑似      接着予定面及び完全接着予定面に、疑似接着フィルムシートＧ及び完全接着フィル      ムシートＫをラミネータにより被覆する。なお後糊方式の各種接着媒体においては      塗工機等を使用すればよい。（疑似接着媒体及び完全接着媒体の形成工程）。
２）疑似接着フィルムシートＧ及び完全接着フィルムシートＫ或いは他の各種接着媒体      により被覆された長尺状或いは枚葉状のシートのマージナル部分や天地の切取線或      いは縦横の余白を切除して単位往復葉書用紙ｔ１、ｔ２毎に切り出す。また場合に      よっては折り線に各種折り手段を形成する。（切り出し工程、折り手段形成工程）
３）折り機により単位往復葉書用紙ｔ１、ｔ２を往信葉書と返信葉書が折り線から折り      畳まれ二つ折りされた最終形態或いはその手前の往信葉書と返信葉書が見開き状に      平面展開した段階に折り畳む。（第二の折り畳み工程）
４）折り畳まれた単位往復葉書用紙ｔ１、ｔ２をシーラー機により加圧或いは加熱・加      圧処理を施し疑似接着フィルムシートＧ或いは他の疑似接着媒体同士を剥離可能に      接着し、完全接着フィルムシートＫ或いは他の完全接着媒体同士を剥離不能に接着      して全体として往復葉書の形態に一体化する。（接着工程）
５）前記３）の折り畳み工程で最終形態手前の往信葉書と返信葉書が見開き状に平面展      開した形態までにしか折り畳んでいない場合、最終形態の二つ折りに折り畳む。（      折り畳み工程）
６）場合によって、受取人の切除動作を省くために、往信葉書Ｖの袋状に閉じられた下      側縁辺部分の切落し線Ｚを切除する断裁工程が接着工程４）の後に付加される。
上記分業による加工工程を経て往復葉書を製造することができる。
【００７７】［長尺状シート或いは枚葉状シートによる往復葉書Ｊ１及びＪ２の分業による製造方法２］
以下先糊方式の場合の往復葉書Ｊ１及びＪ２の製造方法を述べる。
１）例えば先に疑似接着予定面或いは完全接着予定面に疑似接着媒体或いは完全接着媒      体が形成された長尺状或いは枚葉状のシートの、前記疑似接着媒体或いは完全接着      媒体の上から単位往復葉書用紙ｔ１、ｔ２を印刷する。（印刷工程）
２）印刷が完了した長尺状或いは枚葉状のシートから単位往復葉書ｔ１、ｔ２を切り出    す。また場合によっては折り線に各種折り手段を形成する。（切り出し工程、折り手    段形成工程）
３）折り機により単位往復葉書用紙ｔ１、ｔ２を往信葉書と返信葉書が折り線から折り      畳まれ二つ折りされた最終形態或いはその手前の往信葉書と返信葉書が見開き状に      平面展開した段階に折り畳む。（折り畳み工程）
４）折り畳まれた単位往復葉書用紙ｔ１、ｔ２をシーラー機により加圧或いは加熱・加      圧処理を施し疑似接着媒体同士を剥離可能に接着し完全接着媒体同士を剥離不能に      接着して全体として往復葉書の形態に一体化する。（接着工程）
５）３）の折り畳み工程の折り畳みが、最終形態の二つ折りの手前の段階迄で、往信葉      書と返信葉書が見開き状に平面展開した状態に折り畳まれて接着工程を通過した場      合は、最終形態の二つ折りを実行する第二の折り畳み工程を接着工程の下流に付加      する。また場合によって、受取人の切除動作を省くために、往信葉書Ｖの袋状に閉      じられた下側縁辺部分の切落し線Ｚを切除する断裁工程が接着工程４）の後に付加      される。
上記分業による加工工程を経て往復葉書を製造することができる。
【００７８】  なお、本発明は上記実施例に限定されるものではない。
例えば、前記実施例の「郵便往復葉書」の文言が外部から視認可能とするための貫通孔Ｈの形状に格別な制限はない。また、その形成位置についても図１（Ａ）及び図１３（Ａ）に示すところの往信葉書の左側縁辺に限定されるものではなく、図２３（Ａ）、（Ｂ）に示すように往信葉書の天側縁辺に沿って形成してもよく、前記位置に形成しても日本郵便の内国郵便約款の規約から逸脱することはない。
【００７９】  また、折り線に形成する折り手段は折りミシンや折り筋に限らず、切取りミシンや他の公知の折り手段や切り落とし手段を採用しても構わない。さらに、マージナル部分や余白の切除時期或いは折り手段の形成時期に関しても格別な制限はなく、作業前に予め切除したりシートに形成したりしても良く、被覆工程の上下流の何れかで切除したり形成したりしても構わない。また、被覆工程の上下両所で段階的に切除或いは形成しても構わない。
【００８０】  さらにまた、実施例では隣り合わせた葉片を同一フィルムシートで被覆する場合、連接する折り線をまたいで一枚のフィルムシートで被覆しているが、折り線をまたがず二枚フィルムシートに分けて被覆しても構わない。
【００８１】  また長尺状のシートＳ１による往復葉書Ｊ１の製造方法において図５に示すように、センサ３０の読取用のマークＭを第五葉片５の左下隅に記載しているが、単位往復葉書用紙ｔ１を構成する葉片に記載せずに、図２４に示すように平行に切取線１０を２本設け、２本の切取線１０の間に記載しておいても構わない。この場合マークＭが記載された切除片がゴミとなって発生することになる。
【００８２】  さらに枚葉状のシートＳ２による往復葉書Ｊ２の製造方法において図１６に示すように、センサ３０の読取用のマークＭを第二葉片５２上部の横方向の余白Ｙに記載しているが、第二葉片５２或いは第五葉片５５の中に記載しても構わない。
【符号の説明】
【００８３】Ｊ１、Ｊ２  往復葉書
Ｖ  往信葉書
Ｗ  返信葉書
Ｓ１、Ｓ２  シート
Ｇ  疑似接着フィルムシート
Ｋ  完全接着フィルムシート
Ｘ  縦方向の余白
Ｙ  横方向の余白
Ｍ  マーク
Ｈ  貫通孔
Ｚ  切落し線
ｔ１、ｔ２  単位往復葉書用紙
Ｌ１、Ｌ２  辺
Ｑ  折り専用機
１、２、３、４、５、６、５１、５２、５３、５４、５５、５６  葉片
７、８、９、５７、５８、５９  折り線
１１、１０  切取線
１２  マージナル孔
１３  マージナル部分
２０、４２、７０  用紙載せ台
２１、２７、２８、７７、７８  サポートローラ
２２  ピンコンベア
２３ａ、２３ｂ、７３ａ、７３ｂ、ヒートローラ
２４ａ、２４ｂ、７４ａ、７４ｂ  スリット刃
２４ｃ、７４ｃ  ミシン刃
２４ｄ、７４ｄ  筋入れ刃
２５、７５  バックアップローラ
２６ａ、２６ｂ、２９ａ、２９ｂ、７２ａ、７２ｂ、７６ａ、７６ｂ  ニップローラ
３５ａ、３５ｂ  搬送ローラ
３６ａ、３６ｂ  ヒータパネル
３７ａ、３７ｂ  加圧ローラ
３２ａ、３２ｂ、３２ｃ、４４ａ、４４ｂ、４４ｃ  折りローラ
３３、４５  折りトレー
３４、４６  ストッパ
３８、４７  スタッカ
４３  フィードローラ
７１  吸着パッド
３０  センサ
３１ａ  断裁刃
３１ｂ  固定刃
【図１】
2018192778.tif 000003
【図２】
2018192778.tif 000004
【図３】
2018192778.tif 000005
【図４】
2018192778.tif 000006
【図５】
2018192778.tif 000007
【図６】
2018192778.tif 000008
【図７】
2018192778.tif 000009
【図８】
2018192778.tif 000010
【図９】
2018192778.tif 000011
【図１０】
2018192778.tif 000012
【図１１】
2018192778.tif 000013
【図１２】
2018192778.tif 000014
【図１３】
2018192778.tif 000015
【図１４】
2018192778.tif 000016
【図１５】
2018192778.tif 000017
【図１６】
2018192778.tif 000018
【図１７】
2018192778.tif 000019
【図１８】
2018192778.tif 000020
【図１９】
2018192778.tif 000021
【図２０】
2018192778.tif 000022
【図２１】
2018192778.tif 000023
【図２２】
2018192778.tif 000024
【図２３】
2018192778.tif 000025
【図２４】
2018192778.tif 000026